(57)【要約】      （修正有）【課題】  音声ガイダンスを用いて利用者をタイムリーに要領よく誘導できる虹彩認証システムを提供することにある。【解決手段】  利用者の眼画像を撮影する撮影手段を有する携帯端末１００と、携帯端末から受信した画像情報から生成した虹彩コードと登録虹彩コードとを照合して本人認証を行う認証装置２００とを備えた虹彩認証システムおいて、自己の静止の有無を検出して、検出信号を出力する動き検出部１０４と、検出信号に基づいて自己が静止しているか否かを判断する静止判断部１０５と、静止判断部が静止していると判断すると撮影手段を作動する作動制御部１０９と、撮影手段に取得された画像情報に基づいて自己から利用者の眼との間の距離を測定する距離測定部１０６と、距離が認識有効範囲内になるように利用者を誘導するための音声ガイダンスを出力する音声出力部１０７と、撮影手段により取得した画像情報を認証装置に送信する送信部１０８と、を含む。【選択図】  図１
2008015884.tif 000002
【特許請求の範囲】
【請求項１】
利用者の眼画像を撮影し画像情報を取得する撮影手段を有する携帯端末と、該携帯端末から受信した画像情報から生成した虹彩コードと予め登録されている登録虹彩コードとを照合して本人認証を行う認証装置とを備えた虹彩認証システムおいて、
前記携帯端末は、
自己の静止の有無を検出して、検出信号を出力する動き検出部と、
前記検出信号に基づいて自己が静止しているか否かを判断する静止判断部と、
前記静止判断部が静止していると判断すると、前記撮影手段を作動する作動制御部と、
前記撮影手段に取得された画像情報に基づいて自己から利用者の眼との間の距離を測定する距離測定部と、
前記距離測定部で測定された前記距離が本人認証に有効な画像情報を取得するために維持しなければならない認識有効範囲外にあると、前記距離が認識有効範囲内になるように利用者を誘導するための音声ガイダンスを出力する音声出力部と、
前記距離測定部で測定された前記距離が前記認識有効範囲内にあるときに前記撮影手段により取得した画像情報を前記認証装置に送信する送信部と、を含むことを特徴とする虹彩認証システム。
【請求項２】
前記携帯端末が携帯型カメラであり、
前記動き検出部は、該携帯型カメラに内蔵の加速度センサであることを特徴とする請求項１に記載の虹彩認証システム。
【請求項３】
利用者の眼画像を撮影し画像情報を取得する撮影手段を有する据置型端末と、該据置型端末から受信した画像情報から生成した虹彩コードと予め登録されている登録虹彩コードとを照合して本人認証する認証装置とを備えた虹彩認証システムおいて、
前記据置型端末は、
利用者の静止の有無を検出し、検出信号を出力する動き検出部と、
前記検出信号に基づいて利用者が静止しているか否かを判断する静止判断部と、
前記静止判断部が静止していると判断すると、前記撮影手段を作動する作動制御部と、
前記撮影手段により取得された画像情報に基づいて自己と利用者の眼との間の距離を測定する距離測定部と、
前記距離測定部で測定された前記距離が本人認証に有効な画像情報を取得するために維持しなければならない認識有効範囲外にあると、前記距離が認識有効範囲内になるように利用者を誘導するための音声ガイダンスを出力する音声出力部と、
前記距離測定部で測定された前記距離が前記認識有効範囲内にあるときに前記撮影手段により取得した画像情報を前記認証装置に送信する送信部と、を含むことを特徴とする虹彩認証システム。
【請求項４】
前記据置型端末が据置型カメラで、撮影された複数フレームの画像情報を保持する画像記憶部を備えており、
前記動き検出部は、利用者を撮影した複数フレームの画像情報から時系列で連続する２枚の虹彩画像を生成し、該２枚の虹彩画像を比較して、該比較の差分を示す検出信号を出力することを特徴とする請求項３に記載の虹彩認証システム。
【発明の詳細な説明】
【技術分野】
【０００１】
本発明は、生体的特徴として虹彩を用いた虹彩認証システム、特に、カメラにより該システムに用いる虹彩画像を撮影する際の誘導ガイダンスに関するものである。
【背景技術】
【０００２】
従来、生体的特徴を利用する個体識別システムとして、眼の虹彩部分の画像を用いた虹彩認証システムが提案されている。この虹彩認証システムは、人間などの生物における眼の付近をカメラで撮影し、撮影した画像の中から虹彩部分を切り出して虹彩画像を得て、該虹彩画像の特徴パターンをコード化して虹彩コードを取得し、該虹彩コードと予め登録してある登録虹彩コードと照合し、本人認証を行う。
【０００３】
眼画像を撮影する際自動焦点のカメラを用いると、利用者とカメラとの間の距離に関係なく、焦点を合せることができることから、カメラから利用者までの距離を変化させて撮影するとき焦点を合せる必要がなく利用者の負担が軽くなる。
【０００４】
しかし、虹彩認証システムにおいて虹彩コードの照合を行う場合、撮影された虹彩画像のサイズが本人認証の成功割合、即ち、本人を認識する割合を示す認識率を大きく左右する。即ち、小さなサイズで虹彩画像が撮影されると、解像度が落ち、その結果として認識率が低下する。また、眼の近傍のみの過大な画像が撮影されると、虹彩の一部が撮影された画像に入らず、虹彩情報の一部が欠落することがあり、この場合には、真正な虹彩コードを得ることができない。
従って、認識率の低下および虹彩情報の欠落を防ぐには、適度の大きさの虹彩画像を取得することが必要である。そのためには、利用者とカメラとの距離をある範囲内に維持して、利用者の虹彩を撮影しなければならない。
【０００５】
ところで、利用者とカメラとの距離が本人認証に有効な虹彩画像を取得するために制限される範囲を認識有効エリアと呼ぶ。
特許文献１では、カメラから利用者までの距離が、認識有効エリア内になるように利用者を誘導する方法として、利用者の位置を判断し、利用者を認識有効範囲内になるように誘導する音声情報を出力する虹彩認証システムが提案されている。
【特許文献１】特開２０００−２５９８１７号公報
【発明の開示】
【発明が解決しようとする課題】
【０００６】
しかしながら、特許文献１の音声情報を用いた誘導ガイダンスでは、利用者がある方向（例えば、カメラに近づく方向）に誘導されている間音声ガイダンスが出力されるので、同じ音声ガイダンス（例えば、カメラにもっと近寄って下さい）が繰り返し出力されることになり、利用者にとって煩わしく、要領を得ない誘導ガイダンスとなっていた。
【０００７】
また、音声ガイダンスが一定の時間間隔で出力される場合、利用者が音声ガイダンスに従って移動し終えたとき次の音声ガイダンスが出力されないことがある。このとき、利用者は、音声ガイダンスのない状況にあり次に移動すべきか否かの判断に迷うことから、速やかな次の行動を起こせない。結局、利用者の誘導に長い時間がかかる問題があった。
【０００８】
従って、本発明の目的は、音声ガイダンスを用いて利用者をタイムリーに要領よく誘導できる虹彩認証システムを提供することにある。
【課題を解決するための手段】
【０００９】
本発明は、以上の点を解決するために、次の構成を採用する。
〈構成１〉
利用者の眼画像を撮影し画像情報を取得する撮影手段を有する携帯端末と、携帯端末から受信した画像情報から生成した虹彩コードと予め登録されている登録虹彩コードとを照合して本人認証を行う認証装置とを備えた虹彩認証システムおいて、
携帯端末は、
自己の静止の有無を検出して、検出信号を出力する動き検出部と、検出信号に基づいて自己が静止しているか否かを判断する静止判断部と、静止判断部が静止していると判断すると撮影手段を作動する作動制御部と、撮影手段に取得された画像情報に基づいて自己から利用者の眼との間の距離を測定する距離測定部と、距離測定部で測定された距離が本人認証に有効な画像情報を取得するために維持しなければならない認識有効範囲外にあると、距離が認識有効範囲内になるように利用者を誘導するための音声ガイダンスを出力する音声出力部と、距離測定部で測定された距離が認識有効範囲内にあるときに撮影手段により取得した画像情報を認証装置に送信する送信部と、を含むことを特徴とする。
〈構成２〉
利用者の眼画像を撮影し画像情報を取得する撮影手段を有する据置型端末と、据置型端末から受信した画像情報から生成した虹彩コードと予め登録されている登録虹彩コードとを照合して本人認証する認証装置とを備えた虹彩認証システムおいて、
据置型端末は、
利用者の静止の有無を検出し、検出信号を出力する動き検出部と、検出信号に基づいて利用者が静止しているか否かを判断する静止判断部と、静止判断部が静止していると判断すると撮影手段を作動する作動制御部と、撮影手段により取得された画像情報に基づいて自己と利用者の眼との距離を測定する距離測定部と、距離測定部で測定された距離が本人認証に有効な画像情報を取得するために維持しなければならない認識有効範囲外にあると、距離が認識有効範囲内になるように利用者を誘導するための音声ガイダンスを出力する音声出力部と、距離測定部で測定された距離が認識有効範囲内にあるときに撮影手段により取得した画像情報を認証装置に送信する送信部と、を含むことを特徴とする。
【発明の効果】
【００１０】
本発明の虹彩認証システムによれば、眼画像を撮影する撮影手段を有する携帯端末は、自己の静止の有無を検出し検出信号を出力する動き検出部と、該検出信号に基づいて自己が静止しているか否かを判断する静止判断部と、該静止判断部により自己が静止していると判断されると前記撮影手段を作動する作動制御部と、前記撮影手段により取得された画像情報に基づいて自己から利用者の眼（虹彩）までの距離を測定する距離測定部と、前記距離測定部で測定された前記距離が本人認証に有効な画像情報を取得するために維持しなければならない認識有効範囲外にあると、前記距離が認識有効範囲内になるように利用者を誘導するための音声ガイダンスを出力する音声出力部とを備えており、静止判断部により自己が静止していると判断されると、音声出力部は音声ガイダンスを出力し、自己と利用者の眼との間の距離が認識有効範囲内になるように利用者を誘導することから、音声ガイダンスを用いてタイムリーに要領よく利用者を誘導できる。
【発明を実施するための最良の形態】
【００１１】
本発明の実施形態について、図を用いて詳細に説明する。
【実施例１】
【００１２】
図１は、虹彩認証システム１０の構成図である。
実施例１の虹彩認証システム１０は、利用者の眼画像を撮影し画像情報を取得する携帯型カメラ１００と、携帯型カメラ１００で取得された画像情報から虹彩部分を切り出して虹彩画像の特徴パターンを示す虹彩コードを生成し、生成した虹彩コードと予め登録されている登録虹彩コードを照合して本人認証を行う照合端末２００とを備える。携帯型カメラ１００と照合端末２００は、無線通信回線３００を介して通信可能に接続されている。
【００１３】
虹彩認証システム１０は、登録モードおよび照合モードのいずれかで動作する。登録モードとは、携帯型カメラ１００を利用して、利用者の眼画像を撮影し画像情報を取得して、該画像情報から生成した虹彩コードを照合端末２００に登録虹彩コードとして登録する際に使用される動作モードである。照合モードとは、利用者が本人認証を必要とする際に使用される動作モードであり、携帯型カメラ１００により眼画像を撮影し取得された画像情報から生成された虹彩画像の特徴パターンを示す虹彩コードと、予め登録されている登録虹彩コードとを照合することにより本人認証を行う際に使用される動作モードである。
【００１４】
携帯型カメラ１００は、利用者が動作モードを指定するための指定入力を行う操作部１０１と、利用者の眼画像を撮影し画像信号を出力する撮影部１０２と、撮影部１０２から出力された画像信号に基づいた画像情報を一時保持する画像記憶部１０３と、携帯型カメラ１００の動きを検出する動き検出部１０４と、携帯型カメラ１００が静止しているか否かを判断する静止判断部１０５と、利用者の眼（虹彩）から携帯型カメラ１００までの距離を測定する距離測定部１０６と、利用者の眼（虹彩）から携帯型カメラ１００までの距離を修正すべく利用者を誘導するための音声ガイダンスを出力する音声ガイダンス出力部１０７と、照合端末２００と無線通信するための通信インタフェース１０８と、各部を統括し制御する制御部１０９と、照合端末２００と無線通信するためのアンテナ１１０とを備える。
【００１５】
操作部１０１は、虹彩認証システム１０の動作モードを指定するための指定入力を受けると、指定された動作モードを示す動作モード信号を一時記憶部（図示せず）に出力し、そこに一時保持させる。
本実施例では、以下、利用者が、照合モードを指定するための指定入力を操作部１０１に行ない、虹彩認証システム１０が照合モードで動作する例を説明する。
【００１６】
動き検出部１０４は、シリコン基板に微小な梁と慣性マスを形成し、その上に歪ゲージとなるピエゾ抵抗を形成した構造を備えており、力（加速度）を受けると、前記梁が撓むことから、ピエゾ抵抗の抵抗値が変化し、該抵抗値の変化幅は力（加速度）の大きさに比例することから、該抵抗値の変化幅に基づいて携帯型カメラ１００の動きを検出する。動き検出部１０４は、このように携帯型カメラ１００の動きを検出すると、検出信号を静止判断部１０５に出力する。
【００１７】
静止判断部１０５は、前記動き検出部１０４から検出信号を受けると、該検出信号に基づいて携帯型カメラ１００が静止しているか否かを判断する。静止判断部１０５は、検出信号の示す値が予め定められた閾値に等しいかまたは小さいとき携帯型カメラ１００が静止していると判断し、前記検出信号が示す値が閾値より大きいとき携帯型カメラ１００が動いていると判断する。静止判断部１０５は、判断結果として静止しているか否かを示す静止信号を制御部１０９に出力する。
【００１８】
制御部１０９は、静止判断部１０５から携帯型カメラ１００が静止している旨の静止信号を受けると、撮影部１０２へ撮影指示信号を送出する。
【００１９】
撮影部１０２は、オートフォーカス機能を備えており、制御部１０９から撮影指示信号を受けると、利用者の眼（虹彩）を撮影し、該撮影により取得した画像信号を画像記憶部１０３に格納する。撮影部１０２は、該画像信号を画像記憶部に格納し終えると、撮影完了信号を制御部１０９に送出する。
【００２０】
制御部１０９は、撮影部１０２から撮影完了信号を受けると、画像記憶部１０３へ読み出し信号を送出する。
【００２１】
画像記憶部１０３は、撮影部１０２から出力された画像信号に基づいた１フレーム分の虹彩を含む画像情報を一時保持しており、制御部１０９から読み出し信号を受けると、一時保持している１フレーム分の画像情報を距離測定部１０６へ出力する。
【００２２】
距離測定部１０６は、画像情報に基づいて眼の位置を検出する眼位置検出部１０６１と、虹彩画像における眼の虹彩径ｒを計測する虹彩径計測部１０６２と、虹彩径ｒと実空間上における携帯型カメラ１００から虹彩までの距離Ｄとの対応関係を示す撮影距離データを記憶する撮影距離データ記憶部１０６３と、虹彩径情報が示すｒの値に対応する距離Ｄを判定し、該距離Ｄが所定の範囲内であるか否かを判断する距離判定部１０６４とを備えおり、画像記憶部１０３からの画像情報は、眼位置検出部１０６１へ供給される。
【００２３】
眼位置検出部１０６１は、１フレーム分の画像情報を受けると、該画像情報に基づいて虹彩部分を切り出した虹彩画像における眼の中心位置を検出し、眼の中心位置を示す眼位置情報を虹彩径計測部１０６２に出力する。
【００２４】
虹彩径計測部１０６２は、眼位置検出部１０６１から眼位置情報を受けると、該眼位置情報が示す眼位置座標（ｘ０、ｙ０）を中心とする半径ｒの第１の円の円周上の画素の平均輝度値Ｃａ（ｒ）と、半径（ｒ＋α）の第２の円の円周上の画素の平均輝度値Ｃｂ（ｒ）を求める処理を、複数の値の半径ｒについて実行し、Ｃｂ（ｒ）−Ｃａ（ｒ）が最大値になるときのｒの値を求めて、該ｒの値を示す虹彩径情報を取得する。
【００２５】
撮影距離データ記憶部１０６３は、実空間における虹彩径ｒ１、ｒ２、・・・と、眼（虹彩）と携帯型カメラ１００との距離Ｄ１、Ｄ２、・・・との対応関係を示す撮影距離データを記憶する。該撮影距離データは、実空間上において虹彩径ｒのモデルと携帯型カメラ１００との距離Ｄを変えて虹彩径ｒのモデルを撮影して取得される。即ち、虹彩径ｒのモデルを色々な距離（Ｄ１、Ｄ２，Ｄ３、・・・）から撮影し、距離Ｄ１から撮影された画像内における虹彩径ｒ１を求め、同様にして、距離Ｄ２から撮影された画像内における虹彩径ｒ２と、距離Ｄ３から撮影された画像内における虹彩径ｒ３と、・・・とを求めた後、撮影距離データは、距離（Ｄ１、Ｄ２，Ｄ３、・・・）と虹彩径（ｒ１、ｒ２、ｒ３、・・・）とを対応させたテーブル形式で取得される。
【００２６】
距離判定部１０６４は、虹彩径計測部１０６２から虹彩径情報を受けると、撮影距離データ記憶部１０６３に保持している撮影距離データを参照して虹彩径情報が示すｒの値に対応する距離Ｄを判定する。距離判定部１０６４は、該距離Ｄが所定の範囲内であるか否かを判断し、距離Ｄが所定の範囲内のとき、認識有効信号を制御部１０９に出力する。また、距離判定部１０６４は、距離Ｄが所定の範囲外のとき、携帯型カメラ１００の位置を補正するための位置補正信号を音声ガイダンス出力部１０７に出力する。
【００２７】
ところで、利用者の虹彩を適度の大きさの画像に撮影するために、即ち、本人認証に有効な画像情報を取得するために、利用者の眼（虹彩）から携帯型カメラ１００までの距離Ｄを所定の範囲内に維持しなければならない。このときの距離Ｄの範囲を認識有効範囲と呼ぶことにする。
従って、距離判定部１０６４は、認識有効範囲データを保持しており、距離Ｄが所定の範囲内にあるか否かを判断し、即ち、利用者の眼（虹彩）から携帯型カメラ１００までの距離Ｄが本人認証に有効な画像情報を取得するために維持しなければならない認識有効範囲内にあるか否かを判断し、認識有効信号を出力する。
【００２８】
制御部１０９は、距離判定部１０６４から認識有効信号を受けると、一時記憶部の動作モード信号と画像記憶部１０３の画像情報とを照合端末２００へ送信すべくこれらの記憶部を出力制御する。これにより、一時記憶部（図示せず）に保持されている動作モード信号および画像記憶部１０３に保持されている画像情報は、それぞれの記憶部から通信インタフェース１０８へ出力される。
【００２９】
音声ガイダンス出力部１０７は、距離判定部１０６４から位置補正信号を受けると、該位置補正信号に基づいて利用者の眼（虹彩）から携帯型カメラ１００までの距離Ｄが認識有効範囲内に維持されるように、利用者を誘導するための音声ガイダンスを選択する。音声ガイダンス出力部１０７は、選択した音声ガイダンスをスピーカ（図示せず）から出力する。
音声ガイダンス出力部１０７は、前記距離Ｄが認識有効範囲外で遠い場合、遠いカメラの位置を修正すべく誘導ガイダンスを出力する。例えば、「カメラをもっと近づけて下さい」などの音声ガイダンスを出力する。
逆に、前記距離Ｄが認識有効範囲外で近い場合、音声ガイダンス出力部１０７は、近いカメラの位置を修正すべく誘導ガイダンスを出力する。例えば、「カメラをもっと離してください」などの音声ガイダンスを出力する。
【００３０】
通信インタフェース１０８は、無線通信回線３００を介して照合端末２００と無線通信を行う。
通信インタフェース１０８は、照合端末２００への送信信号として一時記憶部（図示せず）からの動作モード信号および画像記憶部１０３からの画像情報を受けると、該送信信号により無線搬送波を位相変調して無線送信波を得て、該無線送信波を所定のレベルまで電力増幅した後、増幅した無線送信波をアンテナ１１０へ出力する機能を有する。無線送信波は、アンテナ１１０から電波として放射される。
【００３１】
照合端末２００は、予め登録されている登録虹彩コードを保持する登録虹彩情報保持部２０１と、撮影により取得された画像情報から生成された虹彩コードと予め登録されている登録虹彩コードとを照合して本人認証を行う照合部２０２と、照合結果を表示する表示部２０３と、携帯型カメラ１００と無線通信するための通信部２０４と、携帯型カメラ１００と無線通信するためのアンテナ２０５とを備える。
【００３２】
登録虹彩情報保持部２０１は、照合部２０２からユーザＩＤに対応付けられた虹彩コードを受けると、該虹彩コードを登録虹彩コードとしてユーザＩＤで検索可能に保持する。
【００３３】
照合部２０２は、携帯型カメラ１００から照合モードを示す動作モード信号および１フレーム分の画像情報を受けると、画像処理技術により、該画像情報から虹彩部分を切り出した虹彩画像の特徴パターンをコード化し、虹彩コードを生成する。照合部２０２は、次いで、登録虹彩情報保持部２０１に保持している登録虹彩コードを読み出して、該登録虹彩コードと前記生成した虹彩コードとを照合することにより本人認証を行い、認証結果を示す認証情報を表示部２０３に出力する。
また、照合部２０２は、登録モードのとき、生成した虹彩コードを登録虹彩情報保持部２０１に出力し、該虹彩コードをユーザＩＤに対応付けて登録虹彩情報保持部２０１に保持させる。
【００３４】
表示部２０３は、照合部２０２から認証情報を受けると、該認証情報に基づいて認証結果を示す表示を行う。
【００３５】
通信部２０４は、無線通信回線３００を介して携帯型カメラ１００と無線通信を行う。
通信部２０４は、携帯型カメラ１００からの上記電波を受けたアンテナ２０５から受信信号を取得すると、まず、受信信号を低雑音増幅器で増幅し、該受信信号をミクサで中間周波数へ周波数変換する。次に、フィルタにより受信信号に含まれる不要波を除去した後高利得増幅器で受信信号を増幅し、復調を行って動作モード信号および画像情報を得る機能を有する。取得された動作モード信号および画像情報は、照合部２０２へ出力される。
【００３６】
図２は、眼画像の撮影時のカメラ移動範囲と認識有効範囲の関係を示す図である。
図３は、実施例１の虹彩認証システムのフローチャートである。
実施例１の虹彩認証システムの動作について図２および図３を用いて説明する。
利用者１１が携帯型カメラ１２を用いて眼画像を撮影する際、携帯型カメラ１２から利用者１１の眼（虹彩）までの距離Ｄが本人認証に有効な画像情報を取得するための認識有効範囲１６内に入るまで利用者を誘導する動作例を説明する。
利用者１１は、図２に示すように、距離Ｄが認識有効範囲１６内に入るように、誘導ガイダンスに従って携帯型カメラ１２をカメラ移動範囲１４内で移動させる。
【００３７】
動き検出部１０４は、携帯型カメラ１２の動きを検出し、動きを示す検出信号を静止判断部１０５へ出力する（ステップＳ３０１）。静止判断部１０５は、動き検出部１０４から検出信号を受けると、該検出信号に基づいて携帯型カメラ１００が静止しているか否かを判断する（ステップＳ３０２）。携帯型カメラ１２が動いているとステップＳ３０１に戻り、携帯型カメラ１２が静止していると、ステップＳ３０３へ進む。
距離測定部１０６は、携帯型カメラ１２から利用者の眼（虹彩）までの距離Ｄを測定し（ステップＳ３０３）、該距離Ｄが認識有効範囲１６内にあるか否かを判断する（ステップＳ３０４）。距離Ｄが認識有効範囲１６外にあると判断されると、ステップＳ３０５へ進み、距離Ｄが認識有効範囲１６内にあると判断されると、ステップＳ３０８へ進む。
【００３８】
距離測定部１０６は、ステップＳ３０３で測定した距離Ｄが認識有効範囲１６を超えて遠いか否かを判断する（ステップＳ３０５）。該距離Ｄが認識有効範囲１６を超えて遠いとき、距離測定部１０６は携帯型カメラ１２が遠すぎる旨の位置補正信号を音声ガイダンス出力部１０７へ出力する。音声ガイダンス出力部１０７は、位置補正信号を受けると、遠いカメラの位置を修正すべく誘導ガイダンスを出力する（ステップＳ３０６）。例えば、「カメラをもっと近づけて下さい」などの音声を出力する。
【００３９】
距離測定部１０６は、該距離Ｄが認識有効範囲１６外で近いと判断したとき、携帯型カメラ１２が近い旨の位置補正信号を音声ガイダンス出力部１０７へ出力する。音声ガイダンス出力部１０７は、位置補正信号を受けると、近いカメラの位置を修正すべく誘導ガイダンスを出力する（ステップＳ３０７）。例えば、「カメラをもっと離して下さい」などの音声を出力する。
音声ガイダンス出力部１０７が誘導ガイダンスを出力し利用者１１を誘導して、携帯型カメラ１２から利用者の眼（虹彩）までの距離Ｄが認識有効範囲１６内に入るまで、ステップＳ３０１からステップＳ３０７までの処理を繰返す。
【００４０】
その後、ステップＳ３０４において、距離測定部１０６は、ステップＳ３０３で測定された距離Ｄが認識有効範囲内であると判断すれば、携帯型カメラ１００は、撮影部１０２により利用者１１の眼画像を撮影し虹彩を含む画像情報を取得し、取得して画像記憶部１０３に一時保持されていた１フレーム分の画像情報および一時記憶部（図示せず）に一時保持されていた動作モード信号を照合端末２００に送信する（ステップＳ３０８）。照合端末２００は、照合部２０２により携帯型カメラ１００からの動作モード信号および１フレーム分の画像情報を受けると、該画像情報から虹彩部分を切り出した虹彩画像の特徴パターンを示す虹彩コードを生成し、次いで、登録虹彩情報保持部２０１から登録虹彩コードを読み出して、該登録虹彩コードと生成した虹彩コードとを照合することにより本人認証を行い、表示部２０３により認証結果を表示する（ステップＳ３０９）。
【００４１】
以上の説明では、携帯型カメラ１００を用いる例を説明したが、利用者の眼画像を撮影するカメラは据置型カメラを採用してもよい。
その場合、虹彩認証システムは、据置型カメラで撮影された複数フレームの画像情報を保持する画像記憶部と、時系列で連続する２枚の画像情報から２枚の虹彩画像を生成し、該２枚の虹彩画像を比較し、該比較の差分を示す検出信号を出力する動き検出部と、動き検出部から出力された検出信号の大きさで利用者の動きを判定する静止判定部を備えるようにしてもよい。
また、以上の説明では、携帯型カメラ１００と照合端末２００との間は、無線通信回線３００を介してデータの送受信を行う例を説明したが、照合部と登録虹彩情報保持部を内蔵した携帯型カメラでは、その端末内で照合処理を実現したシステム構成を採用することができる。
【００４２】
実施例１の虹彩認証システム１０によれば、利用者の眼画像を撮影する携帯型カメラ１００は、自己の静止の有無を検出し検出信号を出力する動き検出部１０４と、動き検出部１０４の検出出力に基づいて自己が静止しているか否かを判断する静止判断部１０５と、静止判断部１０５により自己が静止していると判断されると画像情報を取得する撮影部１０２と、該画像情報に基づいて自己と利用者の眼との間の距離を測定する距離測定部１０６と、距離測定部１０６で測定された距離が本人認証に有効な画像情報を取得するために維持しなければならぬ認識有効範囲外であると、該距離が認識有効範囲内になるように利用者を誘導するための音声ガイダンスを出力する音声ガイダンス出力部１０７とを備えており、静止判断部１０５により自己が静止していると判断されたとき、次の行動を決めようとする利用者へ音声ガイダンス出力部１０７が音声ガイダンスを出力し、前記距離が認識有効範囲内になるようにタイムリーに誘導することから、音声ガイダンスを用いて要領よく利用者を誘導できる。
【００４３】
上記の音声ガイダンスによれば、同じ誘導ガイダンスが繰り返さることもなく、誘導ガイダンスが途切れて利用者が判断に迷うことがないことから、利用者を要領よく誘導し、利用者が携帯型カメラ１００をどのように移動させればよいかを適時に判断でき、利用者を誘導するのに要する時間を短縮することができる。
【００４４】
眼画像を撮影する携帯型カメラには、眼の画像を表示する表示画面を備えたものがあり、該携帯型カメラは、眼画像を撮影するとき眼の画像を表示して利用者を誘導している。しかし、携帯型カメラの表示画面は野外で使用するとき、光の映りこみなどで見づらく十分な誘導ができない場合が多い。これに対して、携帯型カメラ１００の音声ガイダンスは、画面表示によらずに効果的に音声で利用者を誘導することが可能である。即ち、本発明の音声ガイダンスは、見づらい表示画面から利用者を開放し苛立ちもなく、音声ガイダンスに従って行動した利用者が静止したとき、次の行動を指示する誘導を行うことができる。
【図面の簡単な説明】
【００４５】
【図１】実施例１の虹彩認証システムの構成図である。
【図２】眼画像の撮影時のカメラ移動範囲と認識有効範囲の関係を示す図である。
【図３】実施例１の虹彩認証システムのフローチャートである。
【符号の説明】
【００４６】
１０    虹彩認証システム
１００  携帯型カメラ
１０１  操作部
１０２  撮影部
１０３  画像記憶部
１０４  動き検出部
１０５  静止判断部
１０６  距離測定部
１０６１  眼位置検出部
１０６２  虹彩径計測部
１０６３  撮影距離データ記憶部
１０６４  距離判定部
１０７  音声ガイダンス出力部
１０８  通信インタフェース
１０９  制御部
１１０  アンテナ
２００  照合端末
２０１  登録虹彩情報保持部
２０２  照合部
２０３  表示部
２０４  通信部
２０５  アンテナ
３００  無線通信回線
【図１】
2008015884.tif 000003
【図２】
2008015884.tif 000004
【図３】
2008015884.tif 000005